【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】
多数のチャンネルを介して通信する基地局と遠隔局との間でパケット化された情報を送る無線通信システムにおいて、伝送遅延を低減するための方法であって、
トラヒックチャンネル上で送信機から受信機へ複数のフレームを送ることと、
トラヒックチャンネルの割込みを検出し、ペイロードのオーバーヘッドを生成して、送信機と受信機との間の同期性を維持することと、
トラヒックチャンネル上で複数のフレームを送ることと同時に、少なくとも１つの追加チャンネル上でペイロードのオーバーヘッドを再び送ることとを含む方法。
【請求項２】
追加チャンネルが制御チャンネルである請求項１記載の方法。
【請求項３】
制御チャンネルが、複数の受信機によって共用される請求項２記載の方法。
【請求項４】
ペイロードのオーバーヘッドがユニークなコードでスクランブルをかけられ、ユニークなコードが複数の受信機の少なくとも１つと関係している請求項３記載の方法。
【請求項５】
ペイロードのオーバーヘッドが、制御チャンネルに関係するフレームサイズを使用して再び送られ、フレームサイズが、ペイロードのオーバーヘッドを含む最小許容フレームサイズである請求項３記載の方法。
【請求項６】
ペイロードのオーバーヘッドが所定のフレームサイズを使用して再び送られ、所定のフレームサイズがペイロードのオーバーヘッドのビット数に基づいている請求項５記載の方法。
【請求項７】
追加チャンネルが補助チャンネルである請求項１記載の方法。
【請求項８】
補助チャンネルが、複数の受信機によって共用される請求項７記載の方法。
【請求項９】
複数の受信機の各々が、スケジュールされた割り当てによって補助チャンネルを共用する請求項８記載の方法。
【請求項１０】
複数の受信機が、ユニークなスクランブリングコードを割り当てられることによって補助チャンネルを共用し、ペイロードのオーバーヘッドがユニークなスクランブリングコードによってスクランブルされる請求項７記載の方法。
【請求項１１】
ペイロードのオーバーヘッドが、順番に再び送られる請求項１記載の方法。
【請求項１２】
ペイロードのオーバーヘッドが、所定の基準にしたがって所定の順番で再び送られる請求項１記載の方法。
【請求項１３】
少なくとも１つの追加チャンネルは、制御チャンネルと補助チャンネルとを含み、ペイロードのオーバーヘッドを再び送ることは、
ペイロードのオーバーヘッドのサイズを判断することと、
ペイロードのオーバーヘッドのビットサイズが、最大の制御チャンネルフレームサイズよりも小さいときは、制御チャンネル上でペイロードのオーバーヘッドを送ることと、
ペイロードのオーバーヘッドのビットサイズが、最大の制御チャンネルフレームサイズ以上であるときは、制御チャンネルおよび補助チャンネル上でペイロードのオーバーヘッドを送ることとを含む請求項１記載の方法。
【請求項１４】
パケット化された情報を送る無線通信システムにおいて平均データ伝送レートを高めるための方法であって、
送信機から少なくとも1つの受信機へ送られるペイロードのビットサイズを判断することであって、送信機がトラヒックチャンネルおよび少なくとも1つの追加チャンネルを介して少なくとも1つの受信機と通信する、ことと、
ペイロードのビットサイズが、トラヒックチャンネルフレームの最大フレームサイズ以下であるときは、トラヒックチャンネル上でペイロードを送ることと、
ペイロードのビットサイズが、トラヒックチャンネルフレームの最大フレームサイズよりも大きいときは、ペイロードをトラヒックチャンネルフレームと制御チャンネルフレームとの間で分配して、トラヒックチャンネルおよび制御チャンネル上でペイロードを同時に送ることとを含む方法。
【請求項１５】
少なくとも1つの追加チャンネルは、補助チャンネルを含む請求項１４記載の方法。
【請求項１６】
ペイロードのビットサイズが、トラヒックチャンネルフレームの最大フレームサイズと制御チャンネルフレームの最大フレームサイズとの和よりも大きいときは、ペイロードをトラヒックチャンネルフレーム、制御チャンネルフレーム、および補助チャンネルフレームの間で分配して、トラヒックチャンネル、制御チャンネル、および補助チャンネル上でペイロードを同時に送ることをさらに含む請求項１５記載の方法。
【請求項１７】
ペイロードのビットサイズが、トラヒックチャンネルフレームの最大フレームサイズ、制御チャンネルフレームの最大フレームサイズ、および補助チャンネルフレームの最大フレームサイズの和よりも大きいときは、
トラヒックチャンネル、制御チャンネル、および補助チャンネル上でペイロードの一部分を送ることと、
バッファ内にペイロードの残りの部分を記憶することとをさらに含む請求項１６記載の方法。
【請求項１８】
トラヒックチャンネル上でペイロードを送るステップは、トラヒックチャンネル上で第１のレートで行なわれる請求項１４記載の方法。
【請求項１９】
トラヒックチャンネルおよび制御チャンネル上でペイロードを同時に送るステップは、トラヒックチャンネル上では第1のレートで、制御チャンネル上では第２のレートで行われる請求項１４記載の方法。
【請求項２０】
トラヒックチャンネル、制御チャンネル、および補助チャンネル上でペイロードを送るステップは、トラヒックチャンネル上では第１のレートで、制御チャンネル上では第２のレートで、補助チャンネル上では第３のレートで行われる請求項１５記載の方法。
【請求項２１】
多数のチャンネルを介して通信する基地局と遠隔局との間でパケット化された情報を送る無線通信システムにおいて、伝送遅延を低減するための装置であって、
トラヒックチャンネル上で送信機から受信機へ複数のフレームを送るための手段と、
トラヒックチャンネルの割込みを検出し、ペイロードのオーバーヘッドを生成して、送信機と受信機との間で同期性を維持する手段と、
トラヒックチャンネル上で複数のフレームを送ることと同時に、少なくとも１つの追加チャンネル上でペイロードのオーバーヘッドを再び送るための手段とを含む装置。
【請求項２２】
多数のチャンネルを介して通信する基地局と遠隔局との間でパケット化された情報を送る無線通信システムにおいて、伝送遅延を低減するための装置であって、
プロセッサと、
プロセッサに接続されていて、プロセッサによって実行可能な命令の組を含む記憶素子とを具備し、命令の組は、
トラヒックチャンネル上で送信機から受信機へ複数のフレームを送るための命令と、
トラヒックチャンネルの割込みを検出し、ペイロードのオーバーヘッドを生成して、送信機と受信機との間の同期性を維持するための命令と、
トラヒックチャンネル上で複数のフレームを送ることと同時に、少なくとも1つの追加チャンネル上でペイロードのオーバーヘッドを再び送るための命令とを含む装置。
【請求項２３】
パケット化された情報を送る無線通信システムにおいて平均データ伝送レートを高めるための装置であって、
送信機から少なくとも1つの受信機へ送るペイロードのビットサイズを判断するための手段であって、送信機がトラヒックチャンネルと少なくとも1つの追加チャンネルとを介して少なくとも１つの受信機と通信する、手段と、
ペイロードのビットサイズが、トラヒックチャンネルフレームの最大フレームサイズ以下であるときは、トラヒックチャンネル上でペイロードを送るための手段と、
ペイロードのビットサイズが、トラヒックチャンネルフレームの最大フレームサイズよりも大きいときは、ペイロードをトラヒックチャンネルフレームと制御チャンネルフレームとの間で分配して、トラヒックチャンネルおよび制御チャンネル上でペイロードを同時に送るための手段とを含む装置。
【請求項２４】
パケット化された情報を送る無線通信システムにおいて平均データ伝送レートを高めるための装置であって、
プロセッサと、
プロセッサに接続されていて、プロセッサによって実行可能な命令の組を含む記憶素子とを具備し、命令の組は、
送信機から少なくとも１つの受信機へ送るペイロードのビットサイズを判断するための命令であって、送信機がトラヒックチャンネルおよび少なくとも１つの追加チャンネルを介して少なくとも１つの受信機と通信する、命令と、
ペイロードのビットサイズがトラヒックチャンネルフレームの最大フレームサイズ以下であるときは、トラヒックチャンネル上でペイロードを送るための命令と、
ペイロードのビットサイズがトラヒックチャンネルフレームの最大フレームサイズよりも大きいときは、ペイロードをトラヒックチャンネルフレームと制御チャンネルフレームとの間で分配して、トラヒックチャンネルおよび制御チャンネル上でペイロードを同時に送るための命令とを含む装置。